【手続補正書】
【提出日】平成17年9月9日(2005.9.9)
【手続補正１】
【補正対象書類名】明細書
【補正対象項目名】特許請求の範囲
【補正方法】変更
【補正の内容】
【特許請求の範囲】
【請求項１】  撮像領域に配設された複数の画素素子上にベイヤー配列の緑色（Ｇ）、赤色（Ｒ）、青色（Ｂ）のカラーフィルタがそれぞれ画素単位で配設されたカラー固体撮像装置であって、
Ｇ信号が第１の正方形の形状を有する第１の空間解像度を有し、かつ、Ｒ信号およびＢ信号のそれぞれが該第１の正方形に内接する第２の正方形の形状を有する第２の空間解像度を有するように、該撮像領域の画素数の１／２の画素に対して読み出しを行なう１／２間引き読み出し動作、該撮像領域の画素数の１／４の画素に対して読み出しを行なう１／４間引き読み出し動作、該撮像領域の画素数の１／８の画素に対して読み出しを行なう１／８間引き読み出し動作、該撮像領域の画素数の１／１６の画素に対して読み出しを行なう１／１６間引き読み出し動作および該撮像領域の画素数の１／１８の画素に対して読み出しを行なう１／１８間引き読み出し動作のうちの少なくとも１つを実行するように該カラー固体撮像装置が構成されている、カラー固体撮像装置。
【請求項２】  該１／２間引き読み出し動作は、該第１の空間解像度が、水平方向および垂直方向共にナイキスト限界値の１／２まで、かつ、対角方向にナイキスト限界値の１／２までとなり、該第２の空間解像度が、水平方向および垂直方向共にナイキスト限界値の１／２まで、かつ、対角方向にナイキスト限界値の１／４までとなるように実行され、
該１／４間引き読み出し動作は、該第１の空間解像度が、水平方向および垂直方向共にナイキスト限界値の１／２まで、かつ、対角方向にナイキスト限界値の１／４までとなり、該第２の空間解像度が、水平方向および垂直方向共にナイキスト限界値の１／４まで、かつ、対角方向にナイキスト限界値の１／４までとなるように実行され、
該１／８間引き読み出し動作は、該第１の空間解像度が、水平方向および垂直方向共にナイキスト限界値の１／４まで、かつ、対角方向にナイキスト限界値の１／４までとなり、該第２の空間解像度が、水平方向および垂直方向共にナイキスト限界値の１／４まで、かつ、対角方向にナイキスト限界値の１／８までとなるように実行され、
該１／１６間引き読み出し動作は、該第１の空間解像度が、水平方向および垂直方向共にナイキスト限界値の１／４まで、かつ、対角方向にナイキスト限界値の１／８までとなり、該第２の空間解像度が、水平方向および垂直方向共にナイキスト限界値の１／８まで、かつ、対角方向にナイキスト限界値の１／８までとなるように実行され、
該１／１８間引き読み出し動作は、該第１の空間解像度が、水平方向および垂直方向共にナイキスト限界値の１／６まで、かつ、対角方向にナイキスト限界値の１／６までとなり、該第２の空間解像度が、水平方向および垂直方向共にナイキスト限界値の１／６まで、かつ、対角方向にナイキスト限界値の１／１２までとなるように実行される、請求項１に記載のカラー固体撮像装置。
【手続補正２】
【補正対象書類名】明細書
【補正対象項目名】０００８
【補正方法】変更
【補正の内容】
【０００８】
【課題を解決するための手段】
本発明のカラー固体撮像装置は、撮像領域に配設された複数の画素素子上にベイヤー配列の緑色（Ｇ）、赤色（Ｒ）、青色（Ｂ）のカラーフィルタがそれぞれ画素単位で配設されたカラー固体撮像装置であって、Ｇ信号が第１の正方形の形状を有する第１の空間解像度を有し、かつ、Ｒ信号およびＢ信号のそれぞれが該第１の正方形に内接する第２の正方形の形状を有する第２の空間解像度を有するように、該撮像領域の画素数の１／２の画素に対して読み出しを行なう１／２間引き読み出し動作、該撮像領域の画素数の１／４の画素に対して読み出しを行なう１／４間引き読み出し動作、該撮像領域の画素数の１／８の画素に対して読み出しを行なう１／８間引き読み出し動作、該撮像領域の画素数の１／１６の画素に対して読み出しを行なう１／１６間引き読み出し動作および該撮像領域の画素数の１／１８の画素に対して読み出しを行なう１／１８間引き読み出し動作のうちの少なくとも１つを実行するように該カラー固体撮像装置が構成されている。
【手続補正３】
【補正対象書類名】明細書
【補正対象項目名】０００９
【補正方法】変更
【補正の内容】
【０００９】
この構成により、ベイヤー配列の緑色（Ｇ）、赤色（Ｒ）、青色（Ｂ）のカラーフィルタに対応した各画素を間引き読み出しをしても、従来のベイヤー配列における各画素の間引き読み出しに比べて、1フィールド画像において、第１のカラーフィルタに対応した画素信号が水平方向および垂直方向にバランスの取れた比較的高い解像度を効率良く得ることが可能となる。また、赤色（Ｒ）および青色（Ｂ）のカラーフィルタに対応した各画素信号も、水平方向および垂直方向共に等しい解像度を得ることが可能となって、バランスの取れた色信号解像度を得ることが可能となる。したがって、輝度信号および色信号共、最も効率良く解像度が得られる。
【手続補正４】
【補正対象書類名】明細書
【補正対象項目名】００１０
【補正方法】変更
【補正の内容】
【００１０】
また、１／２間引き読み出しの場合には、全ての画素信号を読み出す場合に比べて、フレームレートが同じとすると、１画素を読み出す周期が２倍に長くなり、逆に、１画素を読み出す周期を同じとすると、フレームレートが２倍早くなる。このように、間引き率に応じて、フレームレートが同じとすると、１画素を読み出す周期が長くなり、逆に、１画素を読み出す周期を同じとすると、フレームレートが早まることになる。
【手続補正５】
【補正対象書類名】明細書
【補正対象項目名】００１１
【補正方法】変更
【補正の内容】
【００１１】
また、好ましくは、本発明のカラー固体撮像装置において、１／２間引き読み出し動作は、第１の空間解像度が、水平方向および垂直方向共にナイキスト限界値の１／２まで、かつ、対角方向にナイキスト限界値の１／２までとなり、第２の空間解像度が、水平方向および垂直方向共にナイキスト限界値の１／２まで、かつ、対角方向にナイキスト限界値の１／４までとなるように実行され、１／４間引き読み出し動作は、第１の空間解像度が、水平方向および垂直方向共にナイキスト限界値の１／２まで、かつ、対角方向にナイキスト限界値の１／４までとなり、第２の空間解像度が、水平方向および垂直方向共にナイキスト限界値の１／４まで、かつ、対角方向にナイキスト限界値の１／４までとなるように実行され、１／８間引き読み出し動作は、第１の空間解像度が、水平方向および垂直方向共にナイキスト限界値の１／４まで、かつ、対角方向にナイキスト限界値の１／４までとなり、第２の空間解像度が、水平方向および垂直方向共にナイキスト限界値の１／４まで、かつ、対角方向にナイキスト限界値の１／８までとなるように実行され、１／１６間引き読み出し動作は、第１の空間解像度が、水平方向および垂直方向共にナイキスト限界値の１／４まで、かつ、対角方向にナイキスト限界値の１／８までとなり、第２の空間解像度が、水平方向および垂直方向共にナイキスト限界値の１／８まで、かつ、対角方向にナイキスト限界値の１／８までとなるように実行され、１／１８間引き読み出し動作は、第１の空間解像度が、水平方向および垂直方向共にナイキスト限界値の１／６まで、かつ、対角方向にナイキスト限界値の１／６までとなり、第２の空間解像度が、水平方向および垂直方向共にナイキスト限界値の１／６まで、かつ、対角方向にナイキスト限界値の１／１２までとなるように実行される。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００３３
【補正方法】変更
【補正の内容】
【００３３】
以上のように、２Ｈ期間の画素信号よりＧ，Ｒ，Ｂ全ての色情報が得られるから、２Ｈを単位として色信号処理を行うことにより、より完全なカラー情報を得ることができる。また、全ての画素信号を読み出す図１４の場合と比べて、フレームレートが同じ、即ち１Ｈ周期が同じとすると、１画素を読み出す周期は２倍に長くできる。また逆に、１画素を読み出す周期を同じとすれば、フレームレートを２倍に早めることができる。これらは、信号処理速度に限界がある場合、フレームレートを早くする用途に有用となる。
【手続補正１３】
【補正対象書類名】明細書
【補正対象項目名】００３６
【補正方法】変更
【補正の内容】
【００３６】
図７において、２Ｈ期間の画素信号よりＧ，Ｒ，Ｂ全ての色情報が得られるから、２Ｈを単位として色信号処理を行うことにより、より完全なカラー情報を得ることができる。また、図５の場合と同様に図７においても、全ての画素信号を読み出す図１４の場合に比べて、フレームレートが同じ、即ち１Ｈ周期が同じとすると、１画素を読み出す周期は２倍に長くできる。また逆に、１画素を読み出す周期を同じとすれば、フレームレートを２倍と早めることができる。これらは、信号処理速度に限界がある場合、フレームレートを早める用途に有用となる。
【手続補正１４】
【補正対象書類名】明細書
【補正対象項目名】００３９
【補正方法】変更
【補正の内容】
【００３９】
以上のように、本発明によれば、ベイヤー配列の緑色（Ｇ）、赤色（Ｒ）、青色（Ｂ）のカラーフィルタに対応した画素信号を間引き読み出しをしても、従来のベイヤー配列における間引き読み出しに比べて、1フィールド画像において、第１のカラーフィルタに対応した画素信号が水平方向および垂直方向にバランスの取れた比較的高い解像度を得ることができる。また、赤色（Ｒ）および青色（Ｂ）のカラーフィルタに対応した各画素信号も、水平方向および垂直方向共に等しい解像度を得ることができて、バランスの取れた色信号解像度を得ることができる。したがって、輝度信号および色信号共、最も効率良い解像度を得ることができる。
【手続補正１５】
【補正対象書類名】明細書
【補正対象項目名】００４０
【補正方法】変更
【補正の内容】
【００４０】
また、１／２間引き読み出しの場合には、全ての画素信号を読み出す場合に比べて、フレームレートが同じとすると、１画素を読み出す周期は２倍に長くすることができる。逆に、１画素を読み出す周期を同じとすると、フレームレートを２倍に早めることができる。また、同様に、間引き率に応じて、フレームレートが同じとすると、１画素を読み出す周期を長くすることができ、逆に、１画素を読み出す周期を同じとすると、フレームレートを早めることができる。